(57)【要約】【課題】眼鏡を装着した装着者の見た目の印象を向上させることができる発光機能付き眼鏡及び眼鏡システムを提供する。【解決手段】発光機能付き眼鏡１０は、フレーム部分に、装着者が装着した状態で装着者の眼の開口部分が存在すると想定される領域の外部に向けて照明光を照射する発光部を備える。この発光部が、眼鏡を装着した装着者の眼の周辺を明るく照らすことで、装着者の見た目の印象を向上することが可能である。【選択図】図１
2017129705.tif 000002
【特許請求の範囲】
【請求項１】
装着者が装着した状態で該装着者の眼の開口部分が存在すると想定される領域の外部に向けて照明光を照射する発光部であって、光を出射する光源と、該光源から出射した光を導光しつつ前記装着者の顔に向けて前記照明光として出射する導光部材とを含む発光部をフレーム部分に備え、
前記発光部は、前記装着者が装着した状態で該装着者の眼の開口が存在すると想定される領域における前記照明光の照度より、前記装着者の顔の部分が存在すると想定される領域における前記照明光の照度を高くする発光機能付き眼鏡。
【請求項２】
前記光源は、テンプルにつながるフロントの両端の部分のそれぞれに配置される請求項１に記載の発光機能付き眼鏡。
【請求項３】
前記導光部材は、前記フレーム部分の少なくとも一部に沿って配置される請求項２に記載の発光機能付き眼鏡。
【請求項４】
前記導光部材は、少なくとも、テンプルにつながるフロントの両端のそれぞれから装着された状態で天地方向の下側に向かうフレームの部分に沿って配置される請求項３に記載の発光機能付き眼鏡。
【請求項５】
前記導光部材はフレーム部分の全周にわたって配置される請求項４に記載の発光機能付き眼鏡。
【請求項６】
前記光源は、テンプルにつながるフロントの両端の部分からそれぞれ装着された状態で天地方向の下側に向けて前記導光部材に光を入射する請求項４又は５に記載の発光機能付き眼鏡。
【請求項７】
装着者が装着した状態で該装着者の眼の開口部分が存在すると想定される領域の外部に向けて照明光を照射する発光部であって、光を出射する光源と、該光源から出射する光を前記装着者の顔に投影する投影手段とを有する発光部をフレーム部分に備え、
前記光源は、前記装着者が装着した状態で該装着者の眼の開口が存在すると想定される領域における前記照明光の照度より、前記装着者の顔の部分が存在すると想定される領域における前記照明光の照度を高くする発光機能付き眼鏡。
【請求項８】
前記投影手段は、前記光源から出射した光の径を拡大するレンズ系を含み、前記発光部は前記レンズ系で拡大された光を前記照明光として出射する請求項７に記載の発光機能付き眼鏡。
【請求項９】
前記照明光の色及び前記照明光の強度の少なくとも一方を制御する制御手段を更に有する請求項１から８何れか１項に記載の発光機能付き眼鏡。
【請求項１０】
周辺環境を検出する周辺環境検出手段を更に備え、
前記制御手段は、前記周辺環境検出手段が検出した周辺環境に基づいて前記照明光の色及び前記照明光の強度の少なくとも一方を制御する請求項９に記載の発光機能付き眼鏡。
【請求項１１】
前記周辺環境検出手段は、周辺環境の光の色を検出する光色検出センサ、及び周辺環境光の強度を検出する光強度センサの少なくとも１つを有する請求項１０に記載の発光機能付き眼鏡。
【請求項１２】
前記周辺環境検出手段は、周辺環境の気温を計測する温度センサ、及び周辺環境の湿度を検出する湿度センサの少なくとも１つを更に有する請求項１０又は１１に記載の発光機能付き眼鏡。
【請求項１３】
前記装着者の状態を検出するユーザ状態検出手段を更に有し、
前記制御手段は、前記ユーザ状態検出手段が検出したユーザ状態に基づいて前記照明光の色及び前記照明光の強度の少なくとも一方を制御する請求項９から１２何れか１項に記載の発光機能付き眼鏡。
【請求項１４】
前記ユーザ状態検出手段は、前記装着者の皮膚の色を検出する皮膚色検出センサ、フレーム部分と前記装着者の顔との間の距離を計測する距離センサ、前記装着者の体温を計測する体温センサ、及び前記装着者の発汗を検出する発汗センサの少なくとも１つを含む請求項１３に記載の発光機能付き眼鏡。
【請求項１５】
テンプルの開閉状態を検出する開閉センサ、及び肌への密着状態を検出する密着状態センサの少なくとも１つを更に有し、
前記制御手段は、前記開閉センサがテンプルの閉状態を検出した場合、及び／又は前記密着状態センサが肌への密着を検出していない場合、前記照明光を停止させる請求項９から１４何れか１項に記載の発光機能付き眼鏡。
【請求項１６】
前記装着者の眼球の動きを検出する動きセンサを更に有し、
前記制御手段は、動きセンサが検出した眼球の動きに基づいて、前記発光部から前記照明光を照射するか否かを決定する請求項９から１５何れか１項に記載の発光機能付き眼鏡。
【請求項１７】
前記制御手段は、前記眼球の向きが、前記照明光の停止に関連付けられた方向を向く状態があらかじめ定められた時間継続した場合、前記照明光を停止させる請求項１６に記載の発光機能付き眼鏡。
【請求項１８】
前記制御手段は、前記動きセンサが前記眼球を検出できない状態があらかじめ定められた時間継続した場合、前記照明光を停止させる請求項１６又は１７に記載の発光機能付き眼鏡。
【請求項１９】
前記フレーム部分、前記制御手段、前記発光部、レンズ部、及び電源の少なくとも１つがモジュール化されており、交換可能に構成される請求項９から１８何れか１項に記載の発光機能付き眼鏡。
【請求項２０】
前記照明光の一部が前記装着者の瞳に映り込む請求項１から１９何れか１項に記載の発光機能付き眼鏡。
【請求項２１】
請求項２０に記載の発光機能付き眼鏡と、
前記フレーム部分に対して着脱可能なアタッチメントであって、前記照明光の一部を遮り、前記装着者の瞳に映り込む光の形状を規定するアタッチメントとを備える眼鏡システム。
【発明の詳細な説明】
【技術分野】
【０００１】
本発明は、発光機能付き眼鏡及び眼鏡システムに関し、更に詳しくは、発光機能を有する発光機能付き眼鏡、及びそのような発光機能付き眼鏡を含む眼鏡システムに関する。
【背景技術】
【０００２】
これまでに、付加機能を有する眼鏡がいくつか提案さている。例えば特許文献１には、付加機能として発光機能を有する眼鏡が記載されている。特許文献１に記載の発光機能付き眼鏡は、眼鏡のフレーム部分に、覚醒作用又はライトセラピー効果を促す照度及び波長の光を発光する発光部材を有する。その発光部材は、そのような照度及び波長の光を、装着者の眼に照射する。発光部材から出射した光が直接に装着者の眼に入射することで、装着者の脳が刺激され、眠気を催すメラトニンの分泌が抑制される。メラトニンの分泌が抑制されることで、装着者の眠気が覚醒され、或いは装着者の気分が爽快になる。
【先行技術文献】
【特許文献】
【０００３】
【特許文献１】特開２００２−３５０７９０号公報
【発明の概要】
【発明が解決しようとする課題】
【０００４】
ところで、人の顔を外部から見たとき、目元が明るく照らされていると、見た目の印象が向上することがある。また、眼の周辺に小じわなどが存在する場合に、その存在を目立たせなくすることができれば、見た目の印象を変えることができる。特許文献１では、覚醒作用又はライトセラピー効果を促すことが目的であるため、発光部材から出射した光の大部分は眼に直接照射される。したがって、特許文献１に記載の発光機能付き眼鏡を使用したとしても、見た目の印象を向上させる効果はない。眼鏡が有する付加機能として、見た目の印象を向上させることができる美容効果を有するものが望まれる。
【０００５】
本発明は、上記に鑑み、眼鏡を装着した装着者の見た目の印象を向上させることができる発光機能付き眼鏡を提供することを目的とする。
【０００６】
また、本発明は、上記発光機能付き眼鏡を有する眼鏡システムを提供することを目的とする。
【課題を解決するための手段】
【０００７】
上記目的を達成するために、本発明の第１発明は、装着者が装着した状態でその装着者の眼の開口部分が存在すると想定される領域の外部に向けて照明光を照射する発光部であって、光を出射する光源と、その光源から出射した光を導光しつつ装着者の顔に向けて照明光として出射する導光部材とを含む発光部をフレーム部分に備え、光源は、装着者が装着した状態で装着者の眼の開口が存在すると想定される領域における照明光の照度より、装着者の顔の部分が存在すると想定される領域における照明光の照度を高くする発光機能付き眼鏡を提供する。
【０００８】
本発明の第１発明の発光機能付き眼鏡では、光源は、テンプルにつながるフロントの両端の部分のそれぞれに配置されていてもよい。
【０００９】
上記の発光機能付き眼鏡では、導光部材は、フレーム部分の少なくとも一部に沿って配置されていてもよい。
【００１０】
導光部材は、少なくとも、テンプルにつながるフロントの両端のそれぞれから装着された状態で天地方向の下側に向かうフレームの部分に沿って配置されることが好ましい。導光部材はフレーム部分の全周にわたって配置されていてもよい。
【００１１】
上記において、光源は、テンプルにつながるフロントの両端の部分からそれぞれ装着された状態で天地方向の下側に向けて導光部材に光を入射することが好ましい。
【００１２】
本発明の第２発明は、装着者が装着した状態でその装着者の眼の開口部分が存在すると想定される領域の外部に向けて照明光を照射する発光部であって、光を出射する光源と、光源から出射する光を装着者の顔に投影する投影手段とを有する発光部をフレーム部分に備え、光源は、装着者が装着した状態で装着者の眼の開口が存在すると想定される領域における照明光の照度より、装着者の顔の部分が存在すると想定される領域における照明光の照度を高くする発光機能付き眼鏡を提供する。
【００１３】
本発明の第２発明の発光機能付き眼鏡では、投影手段が、光源から出射した光の径を拡大するレンズ系を含む構成を採用できる。その場合、発光部はレンズ系で拡大された光を照明光として出射してもよい。
【００１４】
本発明の第１発明及び第２発明に係る発光機能付き眼鏡は、発光部が照射する照明光の色及び照明光の強度の少なくとも一方を制御する制御手段を更に有していてもよい。
【００１５】
本発明の第１発明及び第２発明に係る発光機能付き眼鏡は、周辺環境を検出する周辺環境検出手段を更に備える構成であってもよい。制御手段は、周辺環境検出手段が検出した周辺環境に基づいて発光部が照射する照明光の色及び照明光の強度の少なくとも一方を制御することとしてもよい。
【００１６】
本発明の第１発明及び第２発明に係る発光機能付き眼鏡において、周辺環境検出手段は、周辺環境の光の色を検出する光色検出センサ、及び周辺環境光の強度を検出する光強度センサの少なくとも１つを有していてもうよい。周辺環境検出手段は、周辺環境の気温を計測する温度センサ、及び周辺環境の湿度を検出する湿度センサの少なくとも１つを更に有していてもよい。
【００１７】
本発明の第１発明及び第２発明に係る発光機能付き眼鏡は、装着者の状態を検出するユーザ状態検出手段を更に有する構成であってもよい。制御手段は、ユーザ状態検出手段が検出したユーザ状態に基づいて発光部が照射する照明光の色及び照明光の強度の少なくとも一方を制御してもよい。
【００１８】
ユーザ状態検出手段は、装着者の皮膚の色を検出する皮膚色検出センサ、フレーム部分と装着者の顔との間の距離を計測する距離センサ、装着者の体温を計測する体温センサ、及び装着者の発汗を検出する発汗センサの少なくとも１つを含んでいてもよい。
【００１９】
本発明の第１発明及び第２発明に係る発光機能付き眼鏡は、テンプルの開閉状態を検出する開閉センサ、及び肌への密着状態を検出する密着状態センサの少なくとも１つを更に有する構成であってもよい。
制御手段は、開閉センサがテンプルの閉状態を検出した場合、及び／又は密着状態センサが肌への密着を検出していない場合、発光部から照射される照明光を停止させてもよい。
【００２０】
本発明の第１発明及び第２発明に係る発光機能付き眼鏡は、装着者の眼球の動きを検出する動きセンサを更に有する構成であってもよい。制御手段は、動きセンサが検出した眼球の動きに基づいて、発光部から照明光を照射するか否かを決定してもよい。
【００２１】
制御手段は、眼球の向きが、照明光の停止に関連付けられた方向を向く状態があらかじめ定められた時間継続した場合、発光部から照射される照明光を停止させてもよい。
【００２２】
制御手段は、動きセンサが眼球を検出できない状態があらかじめ定められた時間継続した場合、発光部から照射される照明光を停止させてもよい。
【００２３】
本発明の第１発明及び第２発明に係る発光機能付き眼鏡は、フレーム部分、制御手段、発光部、レンズ部、及び電源の少なくとも１つがモジュール化されており、交換可能に構成されるものであってもよい。
【００２４】
本発明の第１発明及び第２発明に係る発光機能付き眼鏡において、照明光の一部が装着者の瞳に映り込むことが好ましい。
【００２５】
本発明の第３発明は、更に、上記の発光機能付き眼鏡と、フレーム部分に対して着脱可能なアタッチメントであって、発光部から照射される照明光の一部を遮り、装着者の瞳に映り込む光の形状を規定するアタッチメントとを備える眼鏡システムを提供する。
【発明の効果】
【００２６】
本発明の発光機能付き眼鏡及び眼鏡システムは、フレーム部分に、装着者が装着した状態で装着者の眼の開口部分が存在すると想定される領域の外部に向けて照明光を照射する発光部を有する。ユーザが発光機能付き眼鏡を装着した場合、装着者であるユーザの眼の周辺が発光部から出射した照明光により明るく照らされることで、ユーザの見た目の印象を向上させることができる。
【図面の簡単な説明】
【００２７】
【図１】本発明の第１実施形態に係る発光機能付き眼鏡の外観を示す斜視図。
【図２】発光機能付き眼鏡の機能ブロック図。
【図３】装着者の眼の部分を示す図。
【図４】発光部を示すブロック図。
【図５】導光部材と装着者の眼との位置関係を示す図。
【図６】直線Ｌ上の照度を示すグラフ。
【図７】眼鏡を正面から見た状態を示す図。
【図８】光源と導光部材との位置関係を示す図。
【図９】動作手順を示すフローチャート。
【図１０】本発明の第２実施形態に係る発光機能付き眼鏡を正面から見た図。
【図１１】本発明の第３実施形態に係る発光機能付き眼鏡に用いられる発光部を示すブロック図。
【図１２】本発明の第４実施形態に係る発光機能付き眼鏡を示すブロック図。
【発明を実施するための形態】
【００２８】
以下、本発明の実施形態を、図面を参照しつつ詳細に説明する。図１は、本発明の第１実施形態に係る発光機能付き眼鏡の外観を示す。なお、本明細書において、“前”、“後”、“左”、“右”、“上”、及び“下”とは、発光機能付き眼鏡１０を装着者の頭部に装着した状態で、その装着者から見た場合の“前”、“後”、“左”、“右”、“上”、及び“下の各方向を指すものとする。また、天地方向とは、発光機能付き眼鏡１０のフロント部分における上下方向を指すものとする。ここで、「フロント部分」とは、左右のリム、グリングスブリッジ、及び智を含んだ眼鏡前面部の総称を指す。
【００２９】
発光機能付き眼鏡（以下、単に眼鏡とも呼ぶ）１０は、通常の眼鏡と同様に、フレーム１０１、ブリッジ１０２、蝶番１０３、テンプル１０４、レンズ１０５、及び鼻パッド１０６を有する。眼鏡１０は、更に、光源モジュール１１０と電源モジュール１１１とを有する。光源モジュール１１０及び電源モジュール１１１の少なくとも一方は、テンプル１０４に対して着脱可能であり、かつ交換可能に構成されている。光源モジュール１１０は光源を含む。電源モジュール１１１はバッテリなどの電源を含む。光源モジュール１１０及び電源モジュール１１１が配置される位置は任意であり、図１に例示した位置には限定されない。
【００３０】
本実施形態の眼鏡１０は、付加機能として、装着者の目元を明るく見せる美容機能を有する。眼鏡１０は、フレーム１０１の装着者側に導光部材５２を有する。導光部材５２には、光源モジュール１１０内の光源から出射した光が入射される。導光部材５２は、光源から入射した光を導光しつつ、装着者の顔に向けて照明光として出射する。導光部材５２は、眼鏡１０の前方には照明光を照射しないことが好ましい。
【００３１】
図２は、眼鏡１０の機能ブロック図である。眼鏡１０は、電源１１、制御手段１２、周辺環境検出手段１３、ユーザ状態検出手段１４、開閉センサ１５、密着状態センサ１６、動きセンサ１７、及び発光部５０を有する。発光部５０は、光源を含む。発光部５０の光源、制御手段１２、周辺環境検出手段１３、及びユーザ状態検出手段１４は、図１の光源モジュール１１０の内部に含まれる。電源１１は、図１の電源モジュール１１１に含まれる。光源と、制御手段１２、周辺環境検出手段１３、及びユーザ状態検出手段１４とでモジュールを分けてもよい。
【００３２】
電源１１は、眼鏡１０内の各部に電源を供給する。電源１１には、例えば小型の蓄電池が用いられる。蓄電池は、使い捨てのものであっても、充電式のものであってもよい。電源１１は、例えばテンプル１０４（図１を参照）の耳当ての部分に搭載される。眼鏡１０に電源を搭載するのに代えて、眼鏡１０の外部から電源供給を行ってもよい。例えば外部電源から、電源ラインを通じて眼鏡１０に電源供給を行ってもよいし、外部電源から、無線給電方式を用いて眼鏡１０に対して電源供給を行ってもよい。
【００３３】
発光部５０は、装着者が眼鏡１０を装着した状態で装着者の眼の開口部分が存在すると想定される領域の外部に向けて照明光を照射する。発光部５０は、例えばそこから出射する光の強度分布において最も強度が強い方向に出射する光が装着者の眼の開口に向かわない状態で、フレーム１０１に配置される。あるいは、発光部５０は、装着者が装着した状態で発光部５０との間の距離が最も短い装着者の顔の部分が存在すると想定される領域における照明光の照度が、装着者の眼の開口が存在すると想定される領域における照明光の照度よりも高くなる状態で、フレーム１０１に配置される。
【００３４】
ここで、「眼の開口」の領域とは、目頭と目尻とを結ぶ、上下のまぶたで挟まれる領域を指す。図３は、装着者の眼の部分を示す。同図において、目頭２０５は、眼２０１を開いた状態において、眼２０１の外側部で上まぶた２０７の縁と下まぶた２０８の縁とが接する点（外眼角点）を表す。目尻２０６は、眼２０１を開いた状態において、眼２０１の内側部で上まぶた２０７の縁と下まぶた２０８の縁とが接する点（内眼角点）を表す。本実施形態においては、装着者が眼２０１を通常の状態で開いている場合に、目頭２０５と目尻２０６との間で、上まぶた２０７と下まぶた２０８との間の裂け目（眼瞼裂）が生じている部分を、眼の開口と定義する。
【００３５】
図４は、発光部５０を示す。発光部５０は、光源５１と導光部材５２とを有する。導光部材５２は、例えば、図１に示すようにフレーム１０１のレンズ１０５の周囲の部分に配置される。光源５１は、導光部材５２から照射される照明光の光源である。光源５１には、例えばＬＥＤ（Light Emitted Diode）などの発光素子を用いることができる。光源５１は、複数色の光を出射するものであってもよいし、単色光を出射するものであってもよい。光源５１は、発光する光の色及び強度の少なくとも一方が制御可能に構成されていることが好ましい。眼鏡１０において、光源５１は、例えばテンプル１０４につながるフロントの両端の部分のそれぞれに配置される。光源５１から出射した光は、導光部材５２の内部を進行しつつ、装着者に照明光として照射される。
【００３６】
図５は、導光部材５２と装着者の眼との位置関係を示す。導光部材５２は、例えばフレーム１０１の装着者側に配置され、レンズ１０５の周囲から、装着者に向けて照明光を照射する。一般に、レンズ１０５の光軸は装着者の眼２０１と正対しており、導光部材５２は、眼２０１から離れた位置に配置される。装着者が装着した状態で発光部５０（特に導光部材５２）との間の距離が最も短い装着者の顔の部分は、眼２０１の開口から離れている。なお、装着者が装着した状態で導光部材５２との間の距離が最も短い装着者の顔の部分は、装着者の顔の凹凸に依存して変化し得る。以下では、便宜上、眼鏡１０が装着された状態で導光部材５２から水平方向に延びる直線と装着者の顔の表面とが交差する位置の部分を、発光部５０との間の距離が最も短い装着者の顔の部分とみなして説明する。
【００３７】
図５において、フレーム１０１の上下の２つの導光部材５２を通る直線に平行で、かつ眼２０１の開口部分が存在すると想定される位置を通る直線Ｌを考える。この直線Ｌは、眼鏡１０の装着状態において鉛直方向に延びる直線と平行であると仮定する。その直線Ｌと、フレーム１０１の上側の導光部材５２からその直線Ｌにおろした垂線とが交差する点を点Ａとする。この点Ａは、装着者が眼鏡１０を装着した状態で導光部材との間の距離が最も短い顔の部分を表す点である。フレーム１０１の上側の導光部材５２から照射される光の直線Ｌ上での照度を考えると、照度は点Ａにおいて最大となると考えられる。
【００３８】
図６は、直線Ｌ上の照度を示す。同図において、横軸は直線Ｌ上での位置を表し、縦軸は照度（照射される光の強度に対応）を表す。位置０は点Ａの位置を表し、プラス側の座標位置は点Ａよりも上側の位置を表し、マイナス側の位置は点Ａよりも下側の位置を表す。導光部材５２の配光特性に指向性がないと仮定すると、直線Ｌ上での照度は導光部材５２との間の距離が最短の点Ａの位置で最大となり、その周囲の位置では照度が低下する。眼２０１の開口が存在すると想定される位置は点Ａから離れた位置にあり、その位置での照度は点Ａでの照度よりも低くなる。導光部材５２が照射する照明光の大部分は、眼鏡１０を装着した装着者の眼２０１の開口の外側に照射され、眼２０１に直接に照射される光は少ない。
【００３９】
図７は、眼鏡１０を正面から見た図である。フレーム１０１の後ろ側には導光部材５２（図１などを参照）が配置されており、装着者の顔、特にフレーム１０１の背後の眼の周囲の部分は、導光部材５２から出射した照明光が照射される。この照明光が、眼２０１の周辺を明るく照らすことで、眼鏡１０の装着者を外部から観察した場合に、見た目の印象尾を向上させることができ、及び／又は眼２０１の周辺にある小じわなどを目立たなくすることができる。一方で、眼２０１には照明光があまり多く照射されないため、装着者が照明光を眩しく感じることはない。
【００４０】
図８は、光源５１と導光部材５２との位置関係を示す。光源５１は、例えばテンプル１０４（図１を参照）につながるフロント部の位置に配置される。導光部材５２は、例えば、レンズ１０５が装着される部分を取り囲むフレーム１０１の背後に、そのほぼ全周にわたって配置される。
【００４１】
ここで、フレーム１０１のほぼ全周を取り囲む導光部材５２を、図８に示すように、区間Ａ〜区間Ｄの４つの区間に分けて考える。区間Ａは、フロントの端部でフレーム１０１の上下方向に延びる部分に沿って配置される部分に対応する。区間Ｂは、フレーム１０１の下側の左右方向に延びる部分に沿って配置される部分に対応する。区間Ｃは、フロントの中央付近でフレーム１０１の上下方向に延びる部分に沿って配置される部分に対応する。区間Ｄは、フレーム１０１の上側の左右方向に沿って延びる部分に沿って配置される部分に対応する。
【００４２】
光源５１は、テンプル１０４につながるフロントの端部の部分から下向きに導光部材５２に光を入射する。区間Ａは導光部材５２内を進行する光の最も上流側の区間である。導光部材５２を進行する光は、導光部材５２内を進行するに連れて減少していく。このため、導光部材５２から装着者の顔に照射される照明光は、光源５１の位置から離れるに連れて減少する。区間Ａ及び区間Ｂにおいて装着者の顔に照射される照明光の強度は、区間Ｃ及び区間Ｄにおいて装着者の顔に照射される照明光の強度よりも強い。また、区間Ａにおいて装着者の顔に照射される照明光の強度は、区間Ｂにおいて装着者の顔に照射される照明光の強度より強い。
【００４３】
一般に、小じわなどは目じりの部分に存在していることが多い。上記したように、光源５１からテンプル１０４につながるフロントの端部の部分から天地方向の下側に向けて導光部材５２に光を入射する場合は、装着者の目じりの部分を最も明るく照明することができる。したがって、小じわなどを目立たなくする効果がより期待できる。区間Ｂにおいても、十分な強度で装着者の顔に照明光を照射することで、眼の下にあるクマなどを目立たなくすることができる。
【００４４】
一方で、眼鏡１０の中央部分では、装着者の鼻などにより影が生じていることがあり、その部分に導光部材５２から出射した照明光が照射されると、観察者に違和感を生じさせやすい。上記構成では、区間Ｃにおいて装着者の顔に照射される照明光の強度は、区間Ａにおいて装着者の顔に照射される照明光の強度よりも弱く、観察者に違和感を生じさせにくい。
【００４５】
なお、導光部材５２は、フレーム１０１の少なくとも一部に沿って配置されていればよく、フレーム１０１の全周にわたって配置されている必要はない。導光部材５２が照射する照明光は、少なくとも、小じわなどが多く存在すると考えられる目じりの部分に照射されることが好ましい。この観点から、導光部材５２は、少なくとも、テンプル１０４につながるフロントの両端のそれぞれから天地方向の下側に向かうフレーム１０１の部分に沿って配置されていることが好ましい。
【００４６】
図２に戻り、制御手段１２は、発光部５０から照射される照明光の色及び光の強度の少なくとも一方を制御する。制御手段１２は、例えばＣＰＵ（Central Processing Unit）及びメモリなどを含む制御用部品と、ＯＳ（Operating System）及びファームウェア上で動作する制御プログラムとで構成される。制御手段１２の構成は特に限定されず、その他の構成であってもよい。制御手段１２は、美容機能がオンの場合、発光部５０から照明光を照射させる。制御手段１２は、美容機能がオフの場合、発光部５０から照射される照明光を停止させる。
【００４７】
開閉センサ１５は、テンプル１０４の開閉状態を検出する。開閉センサ１５には、例えばテンプル１０４が閉じられた状態でオンとなり、テンプル１０４が開かれた状態でオフとなるリミットスイッチなどを用いることができる。密着状態センサ１６は、肌への密着を検出する。密着状態センサ１６は、例えばテンプル１０４の耳かけの部分、及び鼻パッド１０６の少なくとも一方に設けられる。密着状態センサ１６には、例えば圧力に応じた信号を出力する圧力センサを用いることができる。
【００４８】
制御手段１２は、開閉センサ１５の検出信号、及び密着状態センサ１６の検出信号の少なくとも一方に基づいて、美容機能のオンとオフとを決定する。別の言い方をすれば、制御手段１２は、開閉センサ１５の検出信号、及び密着状態センサ１６の検出信号の少なくとも一方に基づいて、発光部５０から照明光を照射するか、又は発光部５０から照明光を照射しないかを決定する。制御手段１２は、例えば開閉センサ１５がテンプル１０４が閉状態にあることを示す信号を出力する場合、眼鏡１０は使用されていないとして美容機能をオフにする。また、制御手段１２は、例えば密着状態センサ１６が肌への密着がないことを示す信号を出力する場合、眼鏡１０は使用されていないとして美容機能をオフにする。
【００４９】
動きセンサ１７は、装着者の眼球の動きを検出する。動きセンサ１７は、例えばＬＥＤなどの発光素子と、ＰＤ（Photo Detector）などの受光素子とを含む。動きセンサ１７は、例えば黒目の動きに伴う受光素子での受光量の変化に基づいて、眼球（主に黒目）の動きを検出する。動きセンサ１７は、装着者の視線方向を検出するものであってもよい。制御手段１２は、上記したものに加えて、又はそれに代えて、動きセンサ１７が検出する眼球の動きに基づいて、美容機能のオンとオフとを決定してもよい。
【００５０】
制御手段１２は、例えば動きセンサ１７が、眼球が照明光停止に関連付けられた方向を向くことを検出し、かつ、眼球がその方向を向く状態があらかじめ定められた時間以上継続した場合、美容機能をオフにする。美容機能のオフを判断するための「あらかじめ定められた時間」について、この時間は常に一定の時間であってもよいし、ある場面と別の場面とで時間が異なっていてもよい。
【００５１】
上記に代えて、又は加えて、装着者が眼を閉じている時間があらかじめ定められた時間以上継続している場合に、美容機能をオフにしてもよい。装着者が眼を閉じているか否かは、動きセンサ１７が黒目を検出できるか否かに応じて判断可能である。この場合の美容機能のオフを判断するための「あらかじめ定められた時間」についても、上記と同様に、この時間は常に一定の時間であってもよいし、ある場面と別の場面とで時間が異なっていてもよい。
【００５２】
周辺環境検出手段１３は、眼鏡１０の周辺環境を検出する。周辺環境検出手段１３は、例えば周辺環境光の色、周辺環境光の強度（明るさ）、周辺環境の気温、周辺環境の湿度、場所、及び時間帯の少なくとも１つを検出する。周辺環境検出手段１３が検出する周辺環境は任意であり、上記したものには限定されない。制御手段１２は、周辺環境検出手段１３が検出した周辺環境の情報に基づいて、発光部５０が照射する照明光の色及び照明光の強度の少なくとも一方を制御する。周辺環境検出手段１３は、検出した周辺環境の状態を、数値データ及び／又はあらかじめ定義されたレベル値などのデータとして、制御手段１２に通知する。
【００５３】
周辺環境検出手段１３は、例えば環境光色センサ３１、光強度センサ３２、温度センサ３３、及び湿度センサ３４を有する。環境光色センサ３１は、眼鏡１０の周辺環境の色を検出する。光強度センサ３２は、眼鏡１０の周辺環境の光の強度を検出する。環境光色センサ３１には、例えばイメージセンサなどが用いられる。光強度センサ３２には、例えばフォトダイオードなどが用いられる。環境光色センサ３１と光強度センサ３２とは、必ずしも物理的に分離している必要はなく、１つの物理的な手段が、双方のセンサを兼ねてもよい。例えば画像を取得するイメージセンサを用い、取得した画像の色情報に基づいて周辺環境の光の色を検出し、かつ取得した画像の信号強度の情報に基づいて、周辺環境の光の光強度を検出してもよい。
【００５４】
温度センサ３３は、周辺環境の温度を計測する。湿度センサ３４は、周辺環境の湿度を検出する。周辺環境検出手段１３が有するセンサの数及び種類は任意であり、環境光色センサ３１、光強度センサ３２、温度センサ３３、及び湿度センサ３４を全て有している必要はない。また、これらセンサとは異なるセンサを有していてもよい。
【００５５】
制御手段１２は、環境光色センサ３１が検出した周辺環境光の色に基づいて、主に、発光部５０が照射する照明光の色を制御する。制御手段１２は、周辺環境光の色に基づいて照明光の色を制御することで、ユーザである装着者に照射された照明光を目立たなくする。制御手段１２は、例えば周辺環境光が赤みを帯びた色である場合は、発光部５０が照射する照明光を、赤みを帯びた色に制御する。制御手段１２は、照明光の色を制御するのに代えて、又はこれに加えて、環境光色センサ３１が検出した周辺環境光の色に基づいて発光部５０が照射する照明光の強度を制御してもよい。
【００５６】
制御手段１２は、光強度センサ３２が検出した周辺環境光の強度に基づいて、主に、発光部５０が照射する照明光の強度を制御する。制御手段１２は、周辺環境光の強度に基づいて照明光の強度を制御することで、装着者に照射された照明光が目立ちすぎることを抑制する。制御手段１２は、例えば周辺環境鏡光の強度が低い場合は、照明光の強度を低くする。制御手段１２は、例えば周辺環境鏡光の強度が高い場合は、照明光の強度を高くする。制御手段１２は、周囲が暗闇に近い状態、例えば周辺環境光の強度がしきい値（第１のしきい値）よりも低い場合は、照明光が目立ちすぎて不自然になることを防ぐために、照明光の照射を停止してもよい。反対に、制御手段１２は、周囲が明る過ぎる、例えば周辺環境光の強度がしきい値（第２のしきい値。第２のしきい値は第１のしきい値よりも大きい）よりも高い場合は、照明光を照射してもほとんど視認できないため、照明光の照射を停止してもよい。制御手段１２は、照明光の強度を制御するのに代えて、又はこれに加えて、光強度センサ３２が検出した周辺環境光の強度に基づいて発光部５０が照射する照明光の色を制御してもよい。
【００５７】
制御手段１２は、温度センサ３３が検出した周辺環境の温度に基づいて、発光部５０が照射する照明光の色及び照明光の強度の少なくとも一方を制御する。制御手段１２は、例えば周辺環境の温度が低いときは、照明光の色を寒色系の色に制御する。制御手段１２は、例えば周辺環境の温度が高いときは、照明光の色を暖色系の色に制御する。制御手段１２は、湿度センサ３４が検出した周辺環境の湿度に基づいて、発光部５０が照射する照明光の色及び照明光の強度の少なくとも一方を制御する。
【００５８】
ユーザ状態検出手段１４は、装着者の状態を検出する。ユーザ状態検出手段１４は、例えばユーザの皮膚（肌）の色、顔と眼鏡１０との間の距離、体温、及び発汗状態の少なくとも１つを検出する。ユーザ状態検出手段１４が検出するユーザ状態は任意であり、上記したものには限定されない。制御手段１２は、上記した周辺環境検出手段１３が検出した周辺環境に基づく照明光の制御に代えて、又はこれに加えて、ユーザ状態検出手段１４が検出したユーザ状態に基づいて発光部５０が照射する照明光の色及び照明光の強度の少なくとも一方を制御する。ユーザ状態検出手段１４は、検出したユーザ状態を、数値データ及び／又はあらかじめ定義されたレベル値などのデータとして、制御手段１２に通知する。
【００５９】
ユーザ状態検出手段１４は、例えば皮膚色センサ４１、距離センサ４２、体温センサ４３、及び発汗センサ４４を有する。皮膚色センサ４１は、眼鏡１０の装着者の皮膚の色を検出する。皮膚色センサ４１には、例えばイメージセンサが用いられる。距離センサ４２は、フレーム１０１と装着者の顔との間の距離を計測する。距離センサ４２は、例えばレンジファインダ送信機とレンジファインダ受信機とを含む。体温センサ４３は、装着者の体温を計測する。発汗センサ４４は、装着者の発汗を検出する。発汗センサ４４は、例えば装着者の皮膚表面の反射率を計測することで、装着者が発汗していることを検出する。
【００６０】
制御手段１２は、皮膚色センサ４１が検出した皮膚の色に基づいて、主に、発光部５０が照射する照明光の色を制御する。制御手段１２は、検出された皮膚の色に基づいて照明光の色を制御することで、ユーザである装着者に照射された照明光が目立つことを抑制する。制御手段１２は、例えば発光部５０に対して、ユーザの皮膚の色に近い色の照明光の照射を指示する。制御手段１２は、照明光の色を制御するのに代えて、又はこれに加えて、皮膚色センサ４１が検出した装着者の皮膚の色に基づいて発光部５０が照射する照明光の強度を制御してもよい。
【００６１】
制御手段１２は、距離センサ４２が検出した眼鏡１０と装着者の顔との距離に基づいて、主に、発光部５０が照射する照明光の強度を制御する。制御手段１２は、検出された距離に基づいて照明光の強度を制御することで、装着者に照射される照明光の照度を制御する。制御手段１２は、例えば検出された距離が短い場合は、距離が長い場合に比べて、照明光の強度を低くする。制御手段１２は、照明光の強度を制御するのに代えて、又はこれに加えて、距離センサ４２が検出した周辺環境光の強度に基づいて発光部５０が照射する照明光の色を制御してもよい。
【００６２】
制御手段１２は、体温センサ４３が検出した装着者の体温に基づいて、発光部５０が照射する照明光の色及び照明光の強度の少なくとも一方を制御する。制御手段１２は、例えば体温が低いときは、照明光の色を白っぽい色に制御する。制御手段１２は、例えば体温が高いときは、照明光の色を赤みを帯びた色に制御する。制御手段１２は、発汗センサ４４の検出信号に基づいて、発光部５０が照射する照明光の色及び照明光の強度の少なくとも一方を制御する。制御手段１２は、例えばユーザが発汗し、皮膚表面の反射率が上昇した場合は、照明光の強度を下げる。
【００６３】
図９は、動作手順を示す。制御手段１２は、ユーザが眼鏡１０を装着したか否かを判断する（ステップＳ１）。制御手段１２は、例えばユーザが眼鏡１０を装着する操作を行った場合に、ユーザが眼鏡１０を装着したと判断する。例えば、制御手段１２は、開閉センサ１５がテンプル１０４が開いた状態を検出した場合に、ユーザが眼鏡１０を装着したと判断する。あるいは、制御手段１２は、密着状態センサ１６がユーザの肌への密着を検出した場合に、ユーザが眼鏡１０を装着したと判断する。制御手段１２は、開閉センサ１５がテンプル１０４が開いた状態を検出し、かつ、密着状態センサ１６がユーザの肌への密着を検出した場合に、ユーザが眼鏡１０を装着したと判断してもよい。制御手段１２は、ユーザが眼鏡１０を装着していないと判断した場合は、ユーザが眼鏡１０を装着するまで、ステップＳ１を繰り返し実行する。
【００６４】
制御手段１２は、ステップＳ１で眼鏡１０が装着されたと判断すると、美容機能をオンにし、発光部５０からユーザの顔に照明光を照射させる（ステップＳ２）。制御手段１２は、ユーザが眼鏡１０を装着した後、動きセンサ１７が眼球が照明光照射に関連付けられた方向を向くことを検出し、かつ、眼球がその方向を向く状態があらかじめ定められた時間以上継続した場合に、照明光を照射させてもよい。あるいは、光源モジュール１１０（図１を参照）に美容機能のオンとオフとを選択するためのスイッチが設けられている場合であれば、制御手段１２が、そのスイッチの操作を検知して美容機能をオンにし、ユーザの顔に発光部５０から照明光を照射させてもよい。
【００６５】
周辺環境検出手段１３は、眼鏡１０の周辺環境を検出する（ステップＳ３）。ユーザ状態検出手段１４は、眼鏡１０を装着するユーザ（装着者）の状態を検出する（ステップＳ４）。ステップＳ３とステップＳ４とは、並列に実施されてもよいし、又は順次に実施されてもよい。制御手段１２は、ステップＳ３で検出された周辺環境と、ステップＳ４で検出されたユーザ状態とに基づいて、発光部５０からユーザに照射される照明光を決定する（ステップＳ５）。制御手段１２は、ステップＳ５では、例えば照明光の色及び強度の少なくとも一方を決定する。
【００６６】
制御手段１２は、ステップＳ５で決定した照明光を、発光部５０からユーザに向けて照射させる（ステップＳ６）。発光部５０に含まれる光源５１（図４を参照）は、例えば発光色及び強度のプログラミングが可能な発光素子を有しており、制御手段１２は、ステップＳ６では、ステップＳ５で決定した色及び強度の光を光源５１から出射させる。光源５１から出射した光は、導光部材５２を経て、ユーザの顔、主に眼の周辺に照射される。ステップＳ３からステップＳ５を省略し、ステップＳ６において、あらかじめ定められた色及び強度の照明光を、ユーザの顔に照射することとしてもよい。
【００６７】
制御手段１２は、照明光の停止条件が成立したか否かを判断する（ステップＳ７）。制御手段１２は、例えばユーザが眼鏡１０を外した場合に、照明光の停止条件が成立したと判断する。より詳細には、制御手段１２は、例えば開閉センサ１５がテンプル１０４が閉じた状態を検出した場合に、ユーザが眼鏡１０を外したとして、照明光の停止条件が成立したと判断する。あるいは、制御手段１２は、密着状態センサ１６がユーザの肌への密着を検出しない場合に、ユーザが眼鏡１０を外したとして、照明光の停止条件が成立したと判断する。制御手段１２は、例えば開閉センサ１５がテンプル１０４が閉じた状態を検出し、かつ、密着状態センサ１６がユーザの肌への密着を検出しない場合に、ユーザが眼鏡１０を外したとして、照明光の停止条件が成立したと判断してもよい。上記に代えて、制御手段１２は、例えば動きセンサ１７が、眼球が照明光停止に関連付けられたあらかじめ定められた方向を向くことを検出し、かつ、眼球がその方向を向く状態があらかじめ定められた時間以上継続した場合に、照明光の停止条件が成立したと判断してもよい。
【００６８】
制御手段１２は、ステップＳ７で照明光の停止条件が成立したと判断した場合、美容機能をオフにし、発光部５０にからユーザへの照明光の照射を停止させる（ステップＳ８）。ステップＳ７で照明光の停止条件が成立していないと判断された場合は、ステップＳ３及びステップＳ４に戻り、周辺環境の検出と、ユーザ状態の検出とが継続される。周辺環境及びユーザ状態の少なくとも一方が変化すると、それに応じて、ユーザに照射される照明光が変更される。
【００６９】
本実施形態では、眼鏡１０は、フレーム１０１に、装着者が装着した状態で装着者の眼の開口部分が存在すると想定される領域の外部に向けて照明光を照射する発光部５０を有する。発光部５０から装着者に照射される照明光により、装着者の顔のうち、照明光の照射領域に対応する領域を明るく照らすことができる。本実施形態において、発光部５０は主に眼の開口の外側の領域に照明光を照射する。眼の周辺が明るく照らされることで、眼鏡１０を装着する装着者の目元付近を明るく見せることができ、見た目の印象を向上できる効果がある。特に、小じわが多いと考えられる目じり付近を明るく照明することで、装着者を若く見せる効果が得られる。
【００７０】
ここで、特許文献１では、装着者の眼に、覚醒作用などを促す波長及び照度の光が照射される。特許文献１では、メラトニンの分泌を抑える目的で、装着者の眼に直接に覚醒作用などを促す波長及び照度の光が照射されている。したがって、特許文献１に記載の発光機能付き眼鏡を使用したとしても、上記した眼鏡１０を装着する装着者の見た目の印象を向上できる効果は得られない。
【００７１】
本実施形態において、フレーム１０１、制御手段１２、発光部５０、レンズ１０５、及び電源１１の少なくとも１つがモジュール化され、それらモジュールが交換可能に構成されていることが好ましい。この場合、モジュールを任意に付け替えることで、眼鏡１０の構成を任意に変更可能である。例えば、発光部５０の光源５１をモジュール化し、複数の色の光を出射する複数の光源モジュールを用意しておき、ユーザが任意の色の光を出射する光源モジュールを選択して眼鏡１０に取り付けることが可能である。
【００７２】
次いで、本発明の第２実施形態を説明する。本発明の第２実施形態に係る発光機能付き眼鏡の構成及び外観は、図１及び図２に示す第１実施形態で説明したものと同様である。本実施形態は、発光部５０から装着者の顔に照射される照明光の一部が、装着者の瞳に映り込む点で、第１実施形態と相違する。その他の点は、第１実施形態と同様でよい。
【００７３】
図１０は、本実施形態において、眼鏡１０を正面から見た図である。第１実施形態で説明した図７との違いは、本実施形態では、装着者の眼２０１の瞳の部分に、光２０３が写り込んでいる点である。装着者の瞳には、特に、フレーム１０１の下側の部分に配置された導光部材５２から照射される照明光が写り込む。フレーム１０１の下側の部分において、導光部材５２の表面に傷をつけ、その部分から漏れる光の量を他の部分よりも多くして、装着者の瞳に意図的に光２０３を写り込ませることとしてもよい。光２０３が瞳に映り込むことで、外部から観察した場合に眼２０１の周辺にある小じわなどを目立たなくすることができる効果に加えて、瞳をきらきら輝かせて見せることができる効果が得られる。
【００７４】
本実施形態では、眼鏡１０の装着者の眼の周辺に照射される照明光の一部が、装着者の瞳に映り込む。本実施形態では、装着者の瞳がきらきら輝いて見え、装着者の見た目の印象をより一層向上できる。その他の効果は第１実施形態で説明したものと同様である。
【００７５】
本実施形態において、眼鏡１０のフレーム１０１に対して着脱可能なアタッチメントを、フレーム１０１に取り付けてもよい。眼鏡１０とアタッチメントとは、眼鏡システムを構成する。アタッチメントは、光透過部分と遮光部分とを有する。遮光部分は、発光部５０（導光部材）５２から照射される照明光の一部を遮り、光透過部を透過した光が装着者の瞳に映り込むことで、装着者の瞳に映り込む光２０３の形状が規定される。光透過部分の形状が異なるアタッチメントを複数用意し、それらを付け替えることで、任意の形状の光２０３を装着者の瞳に映り込ませることができる。
【００７６】
続いて、本発明の第３実施形態を説明する。本実施形態の発光機能付き眼鏡は、発光部の構成が第１実施形態と異なる。その他の部分は、第１実施形態と同様でよい。図１１は、本発明の第３実施形態に係る発光機能付き眼鏡に用いられる発光部を示す。同図に示すように、発光部５０ａは、光源５１、表示パネル５３、及び投影手段５４を有する。発光部５０ａは、例えばテンプル１０４につながるフロントの両端の部分のそれぞれに配置されることが好ましい。
【００７７】
光源５１は、例えば表示パネル５３の裏面側から表示パネル５３に光を照射する。表示パネル５３には、例えば液晶表示パネルが用いられる。投影手段５４は、光源から出射し、表示パネル５３を透過した光を、照明光として装着者の顔に投影する。投影手段５４は、レンズ系（拡大レンズ系）を含んでいてもよく、光源５１から出射して表示パネル５３を透過した光を拡大して装着者の顔に投影してもよい。投影手段５４が投影した光は、装着者の顔に結像する。投影手段５４は、装着者の眼の開口が存在する部分とは異なる部分、好ましくは装着者の眼の周辺に照明光を照射する。投影手段５４が、装着者の目じりの部分に照明光を照射することが特に好ましい。
【００７８】
本実施形態において、制御手段１２は、表示パネル５３を制御する。表示パネル５３が制御されることで、装着者の顔に投影される光の色及び強度が変化する。例えば制御手段１２があらかじめ定められた色及び強度の照明光を装着者の顔に照射させる場合、表示パネル５３は省略してもよい。
【００７９】
本実施形態においても、発光部５０ａは、装着者が装着した状態で装着者の眼の開口部分が存在すると想定される領域の外部に向けて照明光を照射する。本実施形態においても、第１実施形態と同様に、眼鏡１０を装着する装着者の見た目の印象を向上できる効果が得られる。
【００８０】
引き続き、本発明の第４実施形態を説明する。図１２は、本発明の第４実施形態に係る発光機能付き眼鏡を示す。同図に示すように、本実施形態に係る眼鏡１０ａは、外部機器６０と通信する通信手段１９を有する。通信手段１９以外の構成については、第１実施形態で説明したものと同様でよい。
【００８１】
通信手段１９は、例えば無線通信手段を用いて、外部機器６０との間で通信を行う。外部機器６０は、例えばパーソナルコンピュータ、スマートフォン、タブレット、携帯電話機、又は発光機能付き眼鏡専用のコントローラなどである。無線通信手段には、各種の公知の無線通信手段を用いることができる。通信手段１９をモジュール化し、テンプル１０４（図１を参照）に対して着脱可能及び交換可能に構成してもよい。
【００８２】
制御手段１２は、通信手段１９を通じて外部機器６０から各種情報を取得し、取得した情報に基づいて発光部５０の制御を実施してもよい。あるいは、ユーザは、外部機器６０を、ユーザが制御手段１２に対して制御内容を入力するための入力装置として用いてもよい。ユーザは、発光部５０から装着者に照射される照明光の色及び照明光の強度を、外部機器６０を用いて任意に制御してもよい。
【００８３】
例えば、ユーザは、外部機器６０を操作して眼鏡１０における美容機能のオン又はオフの指示を制御手段１２に与え、美容機能のオンとオフとを任意に切り替えてもよい。あるいは、ユーザは、外部機器６０を操作して眼鏡１０の装着者の性別に関する情報を制御手段１２に与えてもよい。制御手段１２は、性別ごとに異なる制御内容を保持しており、ユーザが与えた性別に対応した制御内容に従って発光部５０を制御することとしてもよい。
【００８４】
なお、上記各実施形態では、光源５１はＬＥＤなどの自発光の素子である例について説明したが、これには限定されない。光源５１は、周辺光をその光源として用いるものであってもよい。例えば、周辺光を反射又は一部透過して取り込む光入力装置を光源５１として用いてもよい。周辺光を装着者の顔に照射する照明光の光源とする場合は、光源５１に対する電源供給が不要である。
【００８５】
眼鏡１０を構成するレンズ１０５は、必ずしも視力矯正機能を有している必要はない。光透過性を有する材料から成る板状の部材を、レンズ１０５として用いてもよい。あるいは、レンズ１０５自体を省略し、レンズ１０５が取り付けられない状態で眼鏡１０が使用されてもよい。
【００８６】
以上、本発明の実施の形態を説明したが、本発明の発光機能付き眼鏡及び眼鏡システムは、上記実施形態にのみ限定されるものではなく、上記実施形態の構成から種々の修正及び変更を施したものも、本発明の範囲に含まれる。
【符号の説明】
【００８７】
１０、１０ａ：眼鏡
１１：電源
１２：制御手段
１３：周辺環境検出手段
１４：ユーザ状態検出手段
１５：開閉センサ
１６：密着状態センサ
１７：動きセンサ
１９：通信手段
３１：環境光色センサ
３２：光強度センサ
３３：温度センサ
３４：湿度センサ
４１：皮膚色センサ
４２：距離センサ
４３：体温センサ
４４：発汗センサ
５０、５０ａ：発光部
５１：光源
５２：導光部材
５３：表示パネル
５４：投影手段
６０：外部機器
１０１：フレーム
１０２：ブリッジ
１０３：蝶番
１０４：テンプル
１０５：レンズ
１０６：鼻パッド
１１０：光源モジュール
１１１：電源モジュール
２０１：眼
２０３：光
【図１】
2017129705.tif 000003
【図２】
2017129705.tif 000004
【図３】
2017129705.tif 000005
【図４】
2017129705.tif 000006
【図５】
2017129705.tif 000007
【図６】
2017129705.tif 000008
【図７】
2017129705.tif 000009
【図８】
2017129705.tif 000010
【図９】
2017129705.tif 000011
【図１０】
2017129705.tif 000012
【図１１】
2017129705.tif 000013
【図１２】
2017129705.tif 000014